(57)【要約】      （修正有）【課題】空気に含まれるオイル等の浮遊物質を除去することができ、これにより、取り付けられるべき装置の汚染を防ぐことができ、かつ、取り付けられるべき装置の性能を低下させにくいフィルター部材およびフィルター部材の取り付けられたレンジシステムを提供する。【解決手段】空気中の浮遊物質を捕集するための、ウール繊維からなる、シート状のフィルター部材１である。【選択図】図１
0003213527.tif 000002
【実用新案登録請求の範囲】
【請求項１】
空気中の浮遊物質を捕集するための、ウール繊維からなる、シート状のフィルター部材。
【請求項２】
複数の前記ウール繊維間に、空孔が形成されており、
前記空孔の最大直径は、４〜３０μｍである、請求項１記載のフィルター部材。
【請求項３】
厚みは、３〜１２ｍｍである、請求項１または２記載のフィルター部材。
【請求項４】
密度が５０〜３００ｇ／ｍ2である、請求項１〜３のいずれか１項に記載のフィルター部材。
【請求項５】
レンジフードに取り付けて使用される、請求項１〜４のいずれか１項に記載のフィルター部材。
【請求項６】
空気を吸引するための吸引口の形成されたレンジフードと、
前記吸引口を覆うフィルター部材とを備え、
前記フィルター部材は、ウール繊維からなり、シート状である、レンジシステム。
【考案の詳細な説明】
【技術分野】
【０００１】
本考案は、フィルター部材およびレンジシステムに関する。
【背景技術】
【０００２】
従来、レストランの厨房等には、換気のためのレンジシステムが備えられている。レンジシステムは、飛散したオイル等を含む空気を吸引し、室内を換気する。また、従来のレンジシステムは、たとえばステンレス製のバッフルフィルターのみがレンジフードの吸引口に設けられていた。そのため、バッフルフィルターは、オイル等が付着しやすく、かつ、オイルがレンジフード内に侵入することがあった。これに対し、バッフルフィルターは、短期間（たとえば毎日）のうちに高圧洗浄等により汚れを除去する必要があった。バッフルフィルターの洗浄は、手間であり、かつ、レンジフード内に侵入したオイル等を充分に除去できないという問題があった。また、従来、バッフルフィルターに、セラミックフィルターや、ガラスファイバーまたはステンレススチールウール等で作製されたフィルターを取り付けることがあった。しかしながら、これらのフィルターは、オイル等によって目詰まりを起こしやすく、レンジシステムの性能を低下させやすかった。そこで、特許文献１には、空気流から浮遊粒子を分離するための装置が開示されている。
【先行技術文献】
【特許文献】
【０００３】
【特許文献１】特表２００５−５２４８１９号公報
【考案の概要】
【考案が解決しようとする課題】
【０００４】
特許文献１の装置は、空気流の流れを装置内で調整することにより、空気流から浮遊粒子を分離する。しかしながら、このような装置は、空気流にたとえばオイル等が含まれる場合に、オイル等の装置内への侵入を防ぐことができない。そのため、このような装置は、内部が汚れやすい。また、オイルが蓄積することにより、装置は、火災等の虞がある。その結果、従来の装置は、上記課題を充分に解決できていなかった。
【０００５】
本考案は、このような従来の問題に鑑みなされたものであり、空気に含まれるオイル等の浮遊物質を除去することができ、これにより、取り付けられるべき装置の汚染を防ぐことができ、かつ、取り付けられるべき装置の性能を低下させにくいフィルター部材およびフィルター部材の取り付けられたレンジシステムを提供することを目的とする。
【課題を解決するための手段】
【０００６】
上記課題を解決する本考案には、以下の構成が主に含まれる。
【０００７】
（１）空気中の浮遊物質を捕集するための、ウール繊維からなる、シート状のフィルター部材。
【０００８】
このような構成によれば、フィルター部材は、ウール繊維からなることにより、空気中のオイル等の浮遊物質を捕集することができる。これにより、フィルター部材は、取り付けられるべき装置の汚染を防ぐことができ、装置の火災等を予防し得る。また、その結果、取り付けられるべき装置は、性能が低下しにくい。
【０００９】
（２）複数の前記ウール繊維間に、空孔が形成されており、前記空孔の最大直径は、４〜３０μｍである、（１）記載のフィルター部材。
【００１０】
このような構成によれば、フィルター部材は、使用され続けることによりオイル等がウール繊維間の空孔に捕集される。また、フィルター部材は、空孔に蓄積されたオイル等が、所定の量を超えると、オイル等を空孔の周囲に集まるよう移動させ、空孔を閉塞させない。その結果、フィルター部材は、捕集効率を過度に低下させたり、透過する空気量を過度に抑制することがなく、優れた性能を維持し続けることができる。
【００１１】
厚みは、３〜１２ｍｍである、（１）または（２）記載のフィルター部材。
【００１２】
このような構成によれば、フィルター部材は、捕集効率や透過する空気量をより抑制しにくく、優れた性能を維持し続けることができる。
【００１３】
（４）密度が５０〜３００ｇ／ｍ2である、（１）〜（３）のいずれかに記載のフィルター部材。
【００１４】
このような構成によれば、フィルター部材は、捕集効率や透過する空気量をより抑制しにくく、優れた性能を維持し続けることができる。
【００１５】
（５）レンジフードに取り付けて使用される、（１）〜（４）のいずれかに記載のフィルター部材。
【００１６】
このような構成によれば、フィルター部材は、レストランの厨房等において、レンジフード内の汚染を防ぐことができ、火災等を予防し得る。
【００１７】
（６）空気を吸引するための吸引口の形成されたレンジフードと、前記吸引口を覆うフィルター部材とを備え、前記フィルター部材は、ウール繊維からなり、シート状である、レンジシステム。
【００１８】
このような構成によれば、レンジシステムは、ウール繊維からなるフィルター部材が取り付けられる。これにより、レンジシステムは、空気中のオイル等の浮遊物質を、内部に吸引する前に、吸引口の手前にてフィルター部材に捕集することができる。その結果、フィルター部材は、レンジフード内の汚染を防ぐことができ、火災等を予防し得る。
【考案の効果】
【００１９】
本考案によれば、空気に含まれるオイル等の浮遊物質を除去することができ、これにより、取り付けられるべき装置の汚染を防ぐことができ、かつ、取り付けられるべき装置の性能を低下させにくいフィルター部材およびフィルター部材の取り付けられたレンジシステムを提供することができる。
【図面の簡単な説明】
【００２０】
【図１】図１は、本考案の一実施形態のフィルター部材の取り付け方法を説明するための各部材の模式的な分解斜視図である。
【図２】図２は、本考案の一実施形態のレンジシステムの模式図である。
【図３】図３は、ウール繊維の模式的な拡大図である。
【図４】図４は、ウール繊維の模式的な拡大図である。
【図５】図５は、ウール繊維の模式的な拡大図である。
【図６】図６は、本考案の一実施形態のフィルター部材を装着したレンジシステムと、従来の金属フィルターを装着したレンジシステムとにおいて、捕集し得るオイルの粒度と捕集効率のグラフである。
【考案を実施するための形態】
【００２１】
［レンジシステム］
以下、本考案の一実施形態のフィルター部材およびフィルター部材を備えるレンジシステムについて、図面を参照して詳細に説明する。図１は、本実施形態のフィルター部材１の取り付け方法を説明するための各部材の模式的な分解斜視図である。図２は、本実施形態のレンジシステム２の模式図である。なお、本実施形態は、フィルター部材１が好適に適用される装置として、レンジフード２を例示するものである。フィルター部材１は、レンジフード２以外であってもよく、たとえば、電子機器のクーリングファンの吸気口や、換気設備や空調設備のファンや吸気口等であってもよい。
【００２２】
本実施形態のレンジシステム２は、空気を吸引するための吸引口２１ａの形成されたレンジフード２１と、レンジフード２１の吸引口２１ａを覆うフィルター部材１を主に備える。レンジフード２１の設置場所は特に限定されない。本実施形態のレンジフード２１は、フィルター部材１が取り付けられることにより、空気中の浮遊物質Ｆ（たとえば、オイル、埃、アレル物質（花粉、ダニのフン・死骸、カビ菌）等）を好適に捕集することができる。そのため、レンジフード２１は、たとえばレストランの厨房等のように、オイル等を浮遊物質Ｆとして含む空気の生成される環境に設置されることにより、優れた効果を発揮する。以下、それぞれについて説明する。
【００２３】
（フィルター部材１）
フィルター部材１は、シート状であり、レンジフード２１に取り付けて使用される。フィルター部材１は、９０質量％以上がウール繊維からなることが好ましく、９５質量％以上がウール繊維からなることがより好ましく、１００質量％ウール製品であることがさらに好ましい。本実施形態のウール繊維は、オーストラリア産の羊毛のみからなることが好ましい。
【００２４】
ウール繊維を作製する方法は、従来周知の方法が採用され得る。一例を挙げると、羊毛からウール繊維を作製するには、たとえば、ウールの毛糸を作る紡績工程、糸を織り上げる織布工程、織物を仕上げる整理工程等が採用される。紡績工程は、羊毛を洗い、スライバ―にて繊維を解し、適宜引き延ばしたり、紡ぎながら巻き取る工程である。織布工程は、織機を用いて布を作製する工程である。整理工程は、毛焼き、洗絨、湯のし、蒸絨等の工程を含み、自然な光沢をもつ形崩れのしにくい毛織物を作製する工程である。なお、このような作製方法のほか、ウール繊維は、織物の形態ではなく、編物や不織布の形態に加工されてもよい。
【００２５】
得られるウール繊維は、それぞれのウール繊維間に、空孔が形成されている。図３〜図５は、ウール繊維３の模式的な拡大図である。空孔Ｐの寸法（最大直径）は特に限定されない。一例を挙げると、空孔Ｐの最大直径は、４μｍ以上であることが好ましい。また、空孔Ｐの最大直径は、３０μｍ以下であることが好ましい。本実施形態のフィルター部材１は、使用され続けることによりオイル等がウール繊維３間の空孔Ｐに捕集される。しかしながら、本実施形態のフィルター部材１は、空孔Ｐの最大直径が上記範囲内であることにより、空孔Ｐに蓄積されたオイル等が、所定の量を超えると、オイル等を空孔Ｐの周囲に集まるよう移動させ、空孔Ｐを閉塞させない。より具体的には、図３に示されるように、本実施形態のフィルター部材１は、ウール繊維３からなるため、撥油性を示す。すなわち、オイルは、フィルター部材１に捕集されると、それぞれのウール繊維３に付着し、いくらか空孔Ｐを狭める。図３において、矢印Ａ１は、捕集されたオイルによって空孔Ｐが狭められる方向を示している。その結果、図４に示されるように、それぞれのウール繊維３の空孔Ｐは、捕集されたオイルによって、いくらか開口径が狭められる。しかしながら、本実施形態のフィルター部材１は、ウール繊維３に付着したオイルの量が一定量を超えると、オイルをウール繊維３に沿って空孔Ｐの周囲（ウール繊維３同士の交点）に向かって移動させる。図４において、矢印Ａ２は、ウール繊維３同士の交点に向かって移動するオイルの移動方向を示している。これにより、図５に示されるように、空孔Ｐは閉塞されることがなく、一定以上の開口径が維持される。その結果、フィルター部材１は、捕集効率を過度に低下させたり、透過する空気量を過度に抑制することがなく、優れた性能を維持し続けることができる。なお、このようなオイルをウール繊維３の周囲へ移動させる作用は、本実施形態のウール繊維３特有の作用である。このような作用は、ウール繊維３の割合が多いほど良好に発現し、ウール繊維３が繊維全体の８０質量％程度しか含まれない場合には、発現されにくい。
【００２６】
なお、フィルター部材１は、ウール繊維３の表面に、適宜、表面を被覆する結合剤が付与されてもよい。結合剤は、天然由来成分であることが好ましい。このような結合剤は、水性アクリルおよび大豆、ホエイ、亜麻仁またはそれらの組み合わせの溶液が例示される。より具体的には、天然結合剤の溶液は、約３０％の大豆、３０％の乳清、３０％の亜麻仁および１０％の水性アクリル等からなる。
【００２７】
フィルター部材１の厚みは特に限定されない。フィルター部材１の厚みは、所望する換気性能等に基づき、適宜設定され得る。一例を挙げると、フィルター部材１の厚みは、３ｍｍ以上であることが好ましい。また、フィルター部材１の厚みは、１２ｍｍ以下であってもよい。フィルター部材１の厚みが上記範囲内であることにより、フィルター部材１は、捕集効率や透過する空気量をより抑制しにくく、優れた性能を維持し続けることができる。
【００２８】
フィルター部材１の密度は特に限定されない。フィルター部材１の密度は、所望する換気性能等に基づき、適宜設定され得る。一例を挙げると、フィルター部材１の密度は、５０ｇ／ｍ2以上であることが好ましい。また、フィルター部材１の密度は、３００ｇ／ｍ2以下であることが好ましい。フィルター部材１の密度が上記範囲内であることにより、フィルター部材１は、捕集効率や透過する空気量をより抑制しにくく、優れた性能を維持し続けることができる。
【００２９】
フィルター部材１の形状および寸法は特に限定されない。フィルター部材１の形状および寸法は、取り付けられるべき装置の吸引口２１ａの形状および寸法に合わせて、適宜選択され得る。
【００３０】
（フィルター部材１の取付方法）
本実施形態のフィルター部材１の取付方法は特に限定されない。一例を挙げると、フィルター部材１は、図１および図２に示されるように、レンジフード２１の吸引口２１ａに設けられるバッフルフィルター４に対して、カバー部材５により外周を挟持することにより、既存のレンジフード２１に対して容易に取り付けることが可能である。また、フィルター部材１は、一定期間（たとえば数日〜数週間）使用した後、カバー部材５を取り外すことにより、容易に新品と交換し得る。フィルター部材１が取り付けられることにより、レンジフード２１に吸引されるオイル等の浮遊物質Ｆを含む空気流（矢印Ａ３を参照）は、フィルター部材１を通過することにより、オイル分等の浮遊物質Ｆが捕集され、清浄な空気流（矢印Ａ４を参照）に変換される。このような清浄な空気は、レンジフード２１内を汚染しない。
【００３１】
また、カバー部材５の形状は特に限定されない。図１では、矩形状のカバー部材５が例示されている。カバー部材５は、図１に示される矩形状のカバー部材５のほか、フィルター部材１を吸引口２１ａを覆うよう取り付けられる形状であればよい。また、カバー部材５は省略されてもよい。この場合、たとえば、フィルター部材１は、吸引口２１ａの周囲に接着できるよう一部に両面テープ等が取り付けられることにより、接着性が付与されていてもよい。また、フィルター部材１は、吸引口２１ａの周囲を磁石が磁着される素材で構成し、フィルター部材１を磁石で挟持してもよい。
【００３２】
以上、本実施形態のフィルター部材１は、ウール繊維３からなることにより、空気中のオイル等の浮遊物質Ｆを捕集することができる。図６は、本実施形態のフィルター部材１を装着したレンジシステム２と、本実施形態のフィルター部材１を装着していない従来の金属フィルター（型番：ＵＬ１０４６）を装着したレンジシステム（図示せず）とにおいて、捕集し得るオイルの粒度と捕集効率のグラフである。参照符号Ｇ１を付した棒グラフは本実施形態のフィルター部材１を装着したレンジシステム２による捕集効率を示しており、参照符号Ｇ２を付した棒グラフは本実施形態のフィルター部材１を装着していない従来の金属フィルター（ＵＬ１０４６）を装着したレンジシステムによる捕集効率を示している。図６に示されるように、本実施形態のフィルター部材１を取り付けたレンジシステム２は、直径３μｍを超えるオイルを高い捕集効率で捕集できる。特に、フィルター部材１は、直径６μｍを超えるオイルを９０％以上捕集することができる。これにより、フィルター部材１は、取り付けられるべき装置（たとえばレンジフード２１内）の汚染を防ぐことができ、レンジフード２１に付着したオイル等による火災の発生を予防し得る。
【００３３】
また、フィルター部材１は、ウール繊維３からなるため、耐火性（難燃性）が優れる。そのため、もし仮にフィルター部材１の一部が燃焼したとしても、フィルター部材１は、孔が空く程度で自己消火され、炎が広がりにくい。また、もし仮に、オイルがわずかにレンジフード２１内に侵入している場合であっても、フィルター部材１は、そのようなオイルを引火させない。
【００３４】
さらに、本実施形態のフィルター部材１は、ウール繊維３からなるため、抗菌性が優れる。なお、フィルター部材１は、適宜、公知の抗菌剤が付与されてもよい。一例を挙げると、抗菌剤は、ティーツリーオイル、オリーブ葉抽出物、ナイシン、グレープフルーツ種子抽出物などの天然成分等である。
【００３５】
加えて、フィルター部材１は、ウール繊維３からなる。そのため、使用済みのフィルター部材１は、普通ゴミとして廃棄し得る。また、フィルター部材１は、使い捨てである。そのため、使用者は、フィルター部材１を水や薬剤によって洗浄する必要がない。その結果、フィルター部材１は、水や薬剤を節約することができる。また、使用者は、洗浄に関する手間やコストを削減することができる。さらに、フィルター部材１は、生分解性が優れる。そのため、フィルター部材１は、環境保護に貢献することができる。加えて、フィルター部材１は、取り付けられるべき装置（たとえばレンジフード２１等）を汚染しにくく、これらの故障を防ぐことができる。そのため、フィルター部材１は、装置のメンテナンス費等を削減することができる。
【００３６】
＜フィルター部材１を用いた製品の変形例＞
（１）上記実施形態では、フィルター部材１を装着したレンジシステム２について例示した。本考案のフィルター部材１は、レンジシステム２以外に、他の装置に装着されてもよい。一例を挙げると、フィルター部材１は、発熱しやすい電子機器を冷却するためのクーリングファンの吸気口等に取り付けられてもよい。すなわち、従来、クーリングファンには、たとえばプラスチック製のカバーが取り付けられていた。しかしながら、このようなプラスチック製のカバーは、透明であるため、汚れが判別しにくかった。その結果、使用者は、付着した汚れに気づきにくく、機器は、汚れが除去されないまま長期間使用され、故障することがあった。しかしながら、上記フィルター部材１は、ウール繊維３からなり、概ね白色である。また、フィルター部材１は、空気中の埃等の浮遊物質Ｆを好適に捕集することができる。そのため、使用者は、汚れが生じていることを判別しやすく、適切にフィルター部材１を交換することができる。
【００３７】
（２）同様に、フィルター部材１は、一般家庭やオフィス、工場等のあらゆる場所において、換気設備や空調設備のファンや吸気口等に取り付けられてもよい。フィルター部材１は、これら換気設備内への埃等の侵入を防ぐことができ、かつ、換気設備の性能を低下させにくい。
【符号の説明】
【００３８】
１  フィルター部材
２  レンジシステム
２１  レンジフード
２１ａ  吸引口
３  ウール繊維
Ａ１  捕集されたオイルによって空孔が狭められる方向
Ａ２  ウール繊維同士の交点に向かって移動するオイルの移動方向
Ａ３  オイル等の浮遊物質を含む空気流
Ａ４  清浄な空気流
Ｆ  浮遊物質
Ｇ１  フィルター部材を装着したレンジシステムによる捕集効率
Ｇ２  フィルター部材を装着していない従来の金属フィルターを装着したレンジシステムによる捕集効率
Ｐ  空孔
【図１】
0003213527.tif 000003
【図２】
0003213527.tif 000004
【図３】
0003213527.tif 000005
【図４】
0003213527.tif 000006
【図５】
0003213527.tif 000007
【図６】
0003213527.tif 000008